(57)【要約】      （修正有）【課題】ＨＤＭＩ機器との接続を容易に可能とする送信装置、送信方法、受信装置および受信方法を提供する。【解決手段】ＨＤＭＩトランスミッタ８１は、ＨＤＭＩレシーバに、複数のチャネルで、差動信号により、伝送路を介して、コーディングが施されたデジタル信号を送信する。この場合、複数のチャネルの一部のチャネルでクロック抽出が不可能な第１のコーディング（ＴＭＤＳ及び８Ｂ/１０Ｂ）が施されたデジタル信号を送信し、複数のチャネルの他部のチャネルでクロック抽出が可能な第２のコーディング（８Ｂ／１０Ｂ）が施されたデジタル信号を送信する。受信側では、複数のチャネルで受信されたデジタル信号を、他部のチャネルのうちいずれかのチャネルで受信されたデジタル信号から抽出されたクロックに基づいて処理する。【選択図】図５
2020074555.tif 000002
【特許請求の範囲】
【請求項１】
外部機器に、複数のチャネルで、差動信号により、伝送路を介して、コーディングが施されたデジタル信号を送信するデジタル信号送信部を備え、
上記デジタル信号送信部は、
上記複数のチャネルの一部のチャネルでクロック抽出が不可能な第１のコーディングが施されたデジタル信号を送信し、上記複数のチャネルの他部のチャネルでクロック抽出が可能な第２のコーディングが施されたデジタル信号を送信する
送信装置。
【請求項２】
上記第１のコーディングは、ＴＭＤＳコーディングである
請求項１に記載の送信装置。
【請求項３】
上記第１のコーディングおよび上記第２のコーディングのいずれも８ビット/１０ビット変換コーディングである
請求項１に記載の送信装置。
【請求項４】
上記伝送路はＨＤＭＩケーブルであり、
上記一部のチャネルのチャネル数は３であり、上記他部のチャネルのチャネル数は３である
請求項１に記載の送信装置。
【請求項５】
デジタル信号送信部により、外部機器に、複数のチャネルで、差動信号により、伝送路を介して、コーディングが施されたデジタル信号を送信するデジタル信号送信ステップを有し、
上記デジタル信号送信ステップでは、
上記複数のチャネルの一部のチャネルでクロック抽出が不可能な第１のコーディングが施されたデジタル信号を送信し、上記複数のチャネルの他部のチャネルでクロック抽出が可能な第２のコーディングが施されたデジタル信号を送信する
送信方法。
【請求項６】
外部機器から、複数のチャネルで、差動信号により、伝送路を介して、コーディングが施されたデジタル信号を受信するデジタル信号受信部を備え、
上記デジタル信号受信部は、
上記複数のチャネルの一部のチャネルでクロック抽出が不可能な第１のコーディングが施されたデジタル信号を受信し、上記複数のチャネルの他部のチャネルでクロック抽出が可能な第２のコーディングが施されたデジタル信号を受信し、
上記複数のチャネルで受信されたデジタル信号を、上記他部のチャネルのうちいずれかのチャネルで受信されたデジタル信号から抽出されたクロックに基づいて処理する処理部をさらに備える
受信装置。
【請求項７】
デジタル信号受信部により、外部機器から、複数のチャネルで、差動信号により、伝送路を介して、コーディングが施されたデジタル信号を受信するデジタル信号受信ステップを有し、
上記デジタル信号受信ステップでは、
上記複数のチャネルの一部のチャネルでクロック抽出が不可能な第１のコーディングが施されたデジタル信号を受信し、上記複数のチャネルの他部のチャネルでクロック抽出が可能な第２のコーディングが施されたデジタル信号を受信し、
上記複数のチャネルで受信されたデジタル信号を、上記他部のチャネルのうちいずれかのチャネルで受信されたデジタル信号から抽出されたクロックに基づいて処理する処理ステップをさらに有する
受信方法。
【請求項８】
外部機器に、複数のチャネルで、差動信号により、伝送路を介して、コーディングが施されたデジタル信号を送信するデジタル信号送信部を備え、
上記デジタル信号送信部は、第１のモードおよび第２のモードのうちいずれかのモードを選択して上記デジタル信号を送信し、
上記第１のモードは、所定数の第１のチャネルでクロック抽出が不可能な第１のコーディングが施されたデジタル信号を送信すると共に、所定数の第２のチャネルでクロック抽出が可能な第２のコーディングが施されたデジタル信号を送信するモードであり、
上記第２のモードは、上記所定数の第１のチャネルで上記第１のコーディングが施されたデジタル信号を送信すると共に、上記所定数の第２のチャネルのうちいずれかのチャネルに対応した１つの第３のチャネルでクロックを送信するモードである
送信装置。
【請求項９】
上記外部機器および上記伝送路が上記第１のモードに対応しているか否かを判断するモード判断部と、
上記モード判断部の判断に基づいて、上記デジタル信号送信部におけるモード選択を制御する制御部をさらに備える
請求項８に記載の送信装置。
【請求項１０】
上記所定数の第２のチャネルのうち、上記第３のチャネルに対応した１つのチャネルを除く各チャネルは、上記伝送路に対してＡＣ結合とされる
請求項８に記載の送信装置。
【請求項１１】
上記第１のコーディングは、ＴＭＤＳコーディングである
請求項８に記載の送信装置。
【請求項１２】
上記第１のコーディングおよび上記第２のコーディングは、いずれも８ビット/１０ビット変換コーディングである
請求項８に記載の送信装置。
【請求項１３】
上記伝送路はＨＤＭＩケーブルであり、
上記第１のチャネルのチャネル数は３であり、上記第２のチャネルのチャネル数は３である
請求項８に記載の送信装置。
【請求項１４】
デジタル信号送信部により、外部機器に、複数のチャネルで、差動信号により、伝送路を介して、コーディングが施されたデジタル信号を送信するデジタル信号送信ステップを有し、
上記デジタル信号送信ステップでは、第１のモードおよび第２のモードのうちいずれかのモードを選択して上記デジタル信号を送信し、
上記第１のモードは、所定数の第１のチャネルでクロック抽出が不可能な第１のコーディングが施されたデジタル信号を送信すると共に、所定数の第２のチャネルでクロック抽出が可能な第２のコーディングが施されたデジタル信号を送信するモードであり、
上記第２のモードは、上記所定数の第１のチャネルで上記第１のコーディングが施されたデジタル信号を送信すると共に、上記所定数の第２のチャネルのうちいずれかのチャネルに対応した１つの第３のチャネルでクロックを送信するモードである
送信方法。
【請求項１５】
外部機器から、複数のチャネルで、差動信号により、伝送路を介して、コーディングが施されたデジタル信号を受信するデジタル信号受信部を備え、
上記デジタル信号受信部は、第１のモードおよび第２のモードのうちいずれかのモードを選択して上記デジタル信号を受信し、
上記第１のモードは、所定数の第１のチャネルでクロック抽出が不可能な第１のコーディングが施されたデジタル信号を受信すると共に、所定数の第２のチャネルでクロック抽出が可能な第２のコーディングが施されたデジタル信号を受信するモードであり、
上記第２のモードは、上記所定数の第１のチャネルで上記第１のコーディングが施されたデジタル信号を受信すると共に、上記所定数の第２のチャネルのうちいずれかのチャネルに対応した１つの第３のチャネルでクロックを受信するモードであり、
上記第１のモードでは、上記所定数の第１のチャネルおよび上記所定数の第２のチャネルで受信されたデジタル信号を、上記所定数の第２のチャネルのうちいずれかのチャネルで受信されたデジタル信号から抽出されたクロックに基づいて処理し、上記第２のモードでは、上記所定数の第１のチャネルで受信されたデジタル信号を、上記第３のチャネルで受信されたクロックに基づいて処理する処理部をさらに備える
受信装置。
【請求項１６】
上記所定数の第２のチャネルのうち、上記第３のチャネルに対応した１つのチャネルを除く各チャネルは、上記伝送路に対してＡＣ結合とされる
請求項１５に記載の受信装置。
【請求項１７】
上記第１のコーディングおよび上記第２のコーディングは、いずれも８ビット/１０ビット変換コーディングである
請求項１５に記載の受信装置。
【請求項１８】
上記伝送路はＨＤＭＩケーブルであり、
上記第１のチャネルのチャネル数は３であり、上記第２のチャネルのチャネル数は３である
請求項１５に記載の受信装置。
【請求項１９】
上記外部機器から送られてくる制御情報に基づいて、上記デジタル信号送信部におけるモード選択を制御する制御部をさらに備える
請求項１５に記載の受信装置。
【請求項２０】
デジタル信号受信部により、外部機器から、複数のチャネルで、差動信号により、伝送路を介して、コーディングが施されたデジタル信号を受信するデジタル信号受信ステップを有し、
上記デジタル信号受信ステップでは、第１のモードおよび第２のモードのうちいずれかのモードを選択して上記デジタル信号を受信し、
上記第１のモードは、所定数の第１のチャネルでクロック抽出が不可能な第１のコーディングが施されたデジタル信号を受信すると共に、所定数の第２のチャネルでクロック抽出が可能な第２のコーディングが施されたデジタル信号を受信するモードであり、
上記第２のモードは、上記所定数の第１のチャネルで上記第１のコーディングが施されたデジタル信号を受信すると共に、上記所定数の第２のチャネルのうちいずれかのチャネルに対応した１つの第３のチャネルでクロックを受信するモードであり、
上記第１のモードでは、上記所定数の第１のチャネルおよび上記所定数の第２のチャネルで受信されたデジタル信号を、上記所定数の第２のチャネルのうちいずれかのチャネルで受信されたデジタル信号から抽出されたクロックに基づいて処理し、上記第２のモードでは、上記所定数の第１のチャネルで受信されたデジタル信号を、上記第３のチャネルで受信されたクロックに基づいて処理する処理ステップをさらに有する
受信方法。
【発明の詳細な説明】
【技術分野】
【０００１】
この発明は、送信装置、送信方法、受信装置および受信方法に関し、特に、ビデオなどのデジタル信号を差動信号により伝送路を介して送信する送信装置等に関する。
【背景技術】
【０００２】
近年、ＣＥ（Consumer Electronics）機器をつなぐ、デジタルインタフェースとして、ＨＤＭＩ(High Definition Multimedia Interface)が幅広く用いられており、業界でのデファクトスタンダードとなっている。ＨＤＭＩ規格においては、３データ差動ラインペア（TMDS Channel 0/1/2）を用いて、デジタル信号としてビデオ、オーディオ、コントロールの各信号の伝送を行っている。なお、「ＨＤＭＩ」は登録商標である。
【０００３】
現在、このデジタル信号の伝送速度としてＨＤＭＩ規格上で決められている値は、最大でもおよそ１０．２Ｇｂｐｓとなっている。今後の４ｋ２ｋ（ＱＦＨＤ）やさらなる高画質コンテンツのビデオ信号に対応することを考えると、ＨＤＭＩでも１５Ｇｂｐｓ、２０Ｇｂｐｓといった現在の規格上での最高値以上への拡張が、今後求められる状況にある。
【０００４】
ＨＤＭＩの高速化のために、現在の３つのデータ差動ラインペア数を、４つ以上に増やすことが考えられる。本出願人は、先に、データ差動ラインペア数を６つにする技術を提案した（特許文献１）。
【先行技術文献】
【特許文献】
【０００５】
【特許文献１】特開２０１２−７５０６７号公報
【発明の概要】
【発明が解決しようとする課題】
【０００６】
本技術の目的は、下位規格機器との接続を容易に可能とすることにある。
【課題を解決するための手段】
【０００７】
本技術の概念は、
外部機器に、複数のチャネルで、差動信号により、伝送路を介して、コーディングが施されたデジタル信号を送信するデジタル信号送信部を備え、
上記デジタル信号送信部は、
上記複数のチャネルの一部のチャネルでクロック抽出が不可能な第１のコーディングが施されたデジタル信号を送信し、上記複数のチャネルの他部のチャネルでクロック抽出が可能な第２のコーディングが施されたデジタル信号を送信する
送信装置にある。
【０００８】
本技術において、デジタル信号送信部によって、外部機器に、複数のチャネルで、差動信号により、伝送路を介して、コーディングが施されたデジタル信号が送信される。ここで、複数のチャネルの一部のチャネルでクロック抽出が不可能な第１のコーディングが施されたデジタル信号が送信され、複数のチャネルの他部のチャネルでクロック抽出が可能な第２のコーディングが施されたデジタル信号が送信される。
【０００９】
例えば、第１のコーディングは、ＴＭＤＳコーディングである、ようにされてもよい。また、例えば、第１のコーディングおよび第２のコーディングのいずれも８ビット/１０ビット変換コーディングである、ようにされてもよい。また、例えば、伝送路はＨＤＭＩケーブルであり、一部のチャネルのチャネル数は３であり、他部のチャネルのチャネル数は３である、ようにされてもよい。
【００１０】
このように本技術においては、複数のチャネルの一部のチャネルでクロック抽出が不可能な第１のコーディングが施されたデジタル信号が送信され、複数のチャネルの他部のチャネルでクロック抽出が可能な第２のコーディングが施されたデジタル信号が送信される。そのため、第１のコーディングが施されたデジタル信号を取り扱う下位規格機器との接続が容易に可能となる。つまり、この下位規格機器に接続可能に構成する場合にあっても、第１のコーディングを別途実装する必要はない。
【００１１】
また、本技術の他の概念は、
外部機器から、複数のチャネルで、差動信号により、伝送路を介して、コーディングが施されたデジタル信号を受信するデジタル信号受信部を備え、
上記デジタル信号受信部は、
上記複数のチャネルの一部のチャネルでクロック抽出が不可能な第１のコーディングが施されたデジタル信号を受信し、上記複数のチャネルの他部のチャネルでクロック抽出が可能な第２のコーディングが施されたデジタル信号を受信し、
上記複数のチャネルで受信されたデジタル信号を、上記他部のチャネルのうちいずれかのチャネルで受信されたデジタル信号から抽出されたクロックに基づいて処理する処理部をさらに備える
受信装置にある。
【００１２】
本技術において、デジタル信号受信部によって、外部機器から、複数のチャネルで、差動信号により、伝送路を介して、コーディングが施されたデジタル信号が受信される。ここで、複数のチャネルの一部のチャネルでクロック抽出が不可能な第１のコーディングが施されたデジタル信号が受信され、複数のチャネルの他部のチャネルでクロック抽出が可能な第２のコーディングが施されたデジタル信号が受信される。処理部によって、複数のチャネルで受信されたデジタル信号が、他部のチャネルのうちいずれかのチャネルで受信されたデジタル信号から抽出されたクロックに基づいて処理される。
【００１３】
このように本技術においては、複数のチャネルで受信されたデジタル信号が、他部のチャネルのうちいずれかのチャネルで受信されたデジタル信号から抽出されたクロックに基づいて処理される。そのため、複数のチャネルの一部のチャネルで受信されるデジタル信号についても、クロックの受信を必要とすることなく、良好に処理し得る。
【００１４】
また、本技術の他の概念は、
外部機器に、複数のチャネルで、差動信号により、伝送路を介して、コーディングが施されたデジタル信号を送信するデジタル信号送信部を備え、
上記デジタル信号送信部は、第１のモードおよび第２のモードのうちいずれかのモードを選択して上記デジタル信号を送信し、
上記第１のモードは、所定数の第１のチャネルでクロック抽出が不可能な第１のコーディングが施されたデジタル信号を送信すると共に、所定数の第２のチャネルでクロック抽出が可能な第２のコーディングが施されたデジタル信号を送信するモードであり、
上記第２のモードは、上記所定数の第１のチャネルで上記第１のコーディングが施されたデジタル信号を送信すると共に、上記所定数の第２のチャネルのうちいずれかのチャネルに対応した１つの第３のチャネルでクロックを送信するモードである
送信装置にある。
【００１５】
本技術において、デジタル信号送信部によって、外部機器に、複数のチャネルで、差動信号により、伝送路を介して、コーディングが施されたデジタル信号が送信される。ここで、デジタル信号送信部では、第１のモードおよび第２のモードのうちいずれかのモードが選択されてデジタル信号の送信が行われる。
【００１６】
第１のモードでは、所定数の第１のチャネルでクロック抽出が不可能な第１のコーディングが施されたデジタル信号が送信されると共に、所定数の第２のチャネルでクロック抽出が可能な第２のコーディングが施されたデジタル信号が送信される。第２のモードでは、所定数の第１のチャネルで第１のコーディングが施されたデジタル信号が送信されると共に、所定数の第２のチャネルのうちいずれかのチャネルに対応した１つの第３のチャネルでクロックが送信される。
【００１７】
例えば、第１のコーディングは、ＴＭＤＳコーディングである、ようにされてもよい。また、例えば、第１のコーディングおよび第２のコーディングは、いずれも８ビット/１０ビット変換コーディングである、ようにされてもよい。また、例えば、伝送路はＨＤＭＩケーブルであり、第１のチャネルのチャネル数は３であり、第２のチャネルのチャネル数は３である、ようにされてもよい。
【００１８】
このように本技術においては、第１のモードおよび第２のモードのうちいずれかのモードが選択されてデジタル信号の送信が行われる。そのため、第１のモードを選択することで、高いデータレートでの信号伝送が可能となり、第２のモードを選択することで、第１のコーディングが施されたデジタル信号を取り扱う下位規格機器との接続が可能となる。
【００１９】
なお、本技術において、例えば、外部機器および伝送路が第１のモードに対応しているか否かを判断するモード判断部と、このモード判断部の判断に基づいて、デジタル信号送信部におけるモード選択を制御する制御部をさらに備える、ようにされてもよい。この場合、外部機器および伝送路が第１のモードに対応している場合のみ第１のモードでの伝送が行われ、誤った信号伝送が行われることが回避可能となる。
【００２０】
また、本技術において、例えば、所定数の第２のチャネルのうち、第３のチャネルに対応した１つのチャネルを除く各チャネルは、伝送路に対してＡＣ結合とされる、ようにされてもよい。このようにＡＣ結合とされることで高速動作に対して有利となり、他のチャネルに対して優位性が確保される。
【００２１】
また、本技術の他の概念は、
外部機器から、複数のチャネルで、差動信号により、伝送路を介して、コーディングが施されたデジタル信号を受信するデジタル信号受信部を備え、
上記デジタル信号受信部は、第１のモードおよび第２のモードのうちいずれかのモードを選択して上記デジタル信号を受信し、
上記第１のモードは、所定数の第１のチャネルでクロック抽出が不可能な第１のコーディングが施されたデジタル信号を受信すると共に、所定数の第２のチャネルでクロック抽出が可能な第２のコーディングが施されたデジタル信号を受信するモードであり、
上記第２のモードは、上記所定数の第１のチャネルで上記第１のコーディングが施されたデジタル信号を受信すると共に、上記所定数の第２のチャネルのうちいずれかのチャネルに対応した１つの第３のチャネルでクロックを受信するモードであり、
上記第１のモードでは、上記所定数の第１のチャネルおよび上記所定数の第２のチャネルで受信されたデジタル信号を、上記所定数の第２のチャネルのうちいずれかのチャネルで受信されたデジタル信号から抽出されたクロックに基づいて処理し、上記第２のモードでは、上記所定数の第１のチャネルで受信されたデジタル信号を、上記第３のチャネルで受信されたクロックに基づいて処理する処理部をさらに備える
受信装置にある。
【００２２】
本技術において、デジタル信号受信部によって、外部機器から、複数のチャネルで、差動信号により、伝送路を介して、コーディングが施されたデジタル信号が受信される。ここで、デジタル信号受信部では、第１のモードおよび第２のモードのうちいずれかのモードが選択されてデジタル信号の受信が行われる。
【００２３】
第１のモードでは、所定数の第１のチャネルでクロック抽出が不可能な第１のコーディングが施されたデジタル信号が受信されると共に、所定数の第２のチャネルでクロック抽出が可能な第２のコーディングが施されたデジタル信号が受信される。第２のモードでは、所定数の第１のチャネルで第１のコーディングが施されたデジタル信号が受信されると共に、所定数の第２のチャネルのうちいずれかのチャネルに対応した１つの第３のチャネルでクロックが受信される。
【００２４】
処理部によって、第１のモードでは、所定数の第１のチャネルおよび所定数の第２のチャネルで受信されたデジタル信号が、所定数の第２のチャネルのうちいずれかのチャネルで受信されたデジタル信号から抽出されたクロックに基づいて処理される。また、処理部によって、第２のモードでは、所定数の第１のチャネルで受信されたデジタル信号が、第３のチャネルで受信されたクロックに基づいて処理される。
【００２５】
例えば、第１のコーディングおよび第２のコーディングは、いずれも８ビット/１０ビット変換コーディングである、ようにされてもよい。また、例えば、伝送路はＨＤＭＩケーブルであり、第１のチャネルのチャネル数は３であり、第２のチャネルのチャネル数は３である、ようにされてもよい。
【００２６】
このように本技術においては、第１のモードおよび第２のモードのうちいずれかのモードが選択されてデジタル信号の受信が行われる。そのため、第１のモードを選択することで、高いデータレートでの信号伝送が可能となり、第２のモードを選択することで、第１のコーディングが施されたデジタル信号を取り扱う下位規格機器との接続が可能となる。
【００２７】
なお、本技術において、例えば、所定数の第２のチャネルのうち、第３のチャネルに対応した１つのチャネルを除く各チャネルは、伝送路に対してＡＣ結合とされる、ようにされてもよい。このようにＡＣ結合とされることで高速動作に対して有利となり、他のチャネルに対して優位性が確保される。
【００２８】
また、本技術において、例えば、外部機器から送られてくる制御情報に基づいて、デジタル信号送信部におけるモード選択を制御する制御部をさらに備える、ようにされてもよい。この場合、外部機器におけるモード選択に対応したモード選択が行わることから、外部機器から送られてくるデジタル信号を適切に受信可能となる。
【発明の効果】
【００２９】
本技術によれば、下位規格機器との接続が容易に可能となる。本明細書に記載された効果はあくまで例示であって限定されるものではなく、また付加的な効果があってもよい。
【図面の簡単な説明】
【００３０】
【図１】この発明の実施の形態としてのＡＶシステムの構成例を示すブロック図である。
【図２】ソース機器、ＨＤＭＩケーブルおよびシンク機器の組み合わせ例を示す図である。
【図３】ソース機器のデータ送信部とシンク機器のデータ受信部の構成例（現行ＨＤＭＩの動作モード時）を示す図である。
【図４】ソース機器のデータ送信部とシンク機器のデータ受信部の構成例（新ＨＤＭＩの動作モード時）を示す図である。
【図５】ＨＤＭＩトランスミッタの構成例を示すブロック図である。
【図６】ＨＤＭＩレシーバの構成例を示すブロック図である。
【図７】ＴＭＤＳ伝送データの構造例を示す図である。
【図８】現行ＨＤＭＩ（Type Ａ）および新ＨＤＭＩのピンアサイメントを比較して示す図である。
【図９】現行ＨＤＭＩおよび新ＨＤＭＩのソース機器、シンク機器のレセプタクルのピン配置を示す図である。
【図１０】現行ＨＤＭＩケーブルの構造例を示す図である。
【図１１】新ＨＤＭＩケーブルの構造例を示す図である。
【図１２】ソース機器の制御部の動作モード制御の処理手順の一例を示すフローチャートである。
【図１３】ソース機器の制御部の制御により表示部（ディスプレイ）に表示されるＵＩ画面の一例を示す図である。
【図１４】ソース機器の制御部の動作モード制御の処理手順の他の例を示すフローチャートである。
【図１５】ＥＤＩＤ上に新たに定義されるフラグ情報の例を示す図である。
【図１６】制御部におけるケーブルが新ＨＤＭＩに対応しているか否かの判断の方法を説明するための図である。
【発明を実施するための形態】
【００３１】
以下、発明を実施するための形態（以下、「実施の形態」とする）について説明する。なお、説明を以下の順序で行う。
１．実施の形態
２．変形例
【００３２】
＜１．実施の形態＞
［ＡＶシステムの構成例］
図１は、実施の形態としてのＡＶ（Audio and Visual）システム１００の構成例を示している。このＡＶシステム１００は、ソース機器１１０とシンク機器１２０とが接続されて構成されている。ソース機器１１０は、例えば、ゲーム機、ディスクプレーヤ、セットトップボックス、デジタルカメラ、携帯電話などのＡＶソースである。シンク機器１２０は、例えば、テレビ受信機、プロジェクタ等である。
【００３３】
ソース機器１１０およびシンク機器１２０は、ケーブル２００を介して接続されている。ソース機器１１０には、データ送信部１１２が接続された、コネクタを構成するレセプタクル１１１が設けられている。シンク機器１２０には、データ受信部１２２が接続された、コネクタを構成するレセプタクル１２１が設けられている。また、ケーブル２００の一端にはコネクタを構成するプラグ２０１が設けられ、その他端にはコネクタを構成するプラグ２０２が設けられている。ケーブル２００の一端のプラグ２０１はソース機器１１０のレセプタクル１１１に接続され、このケーブル２００の他端のプラグ２０２はシンク機器１２０のレセプタクル１２１に接続されている。
【００３４】
ソース機器１１０は、制御部１１３を有している。この制御部１１３は、ソース機器１１０の全体を制御する。この実施の形態において、ソース機器１１０のデータ送信部１１２は、現行ＨＤＭＩおよび新ＨＤＭＩの双方に対応している。制御部１１３は、ケーブル２００が新ＨＤＭＩに対応し、かつシンク機器１２０が新ＨＤＭＩに対応していると判断する場合、データ送信部１１２を新ＨＤＭＩの動作モードで動作するように制御する。一方、制御部１１３は、少なくとも、シンク機器１２０が現行ＨＤＭＩにのみ対応していると判断する場合、あるいはケーブル２００が現行ＨＤＭＩに対応していると判断する場合、データ送信部１１２を現行ＨＤＭＩの動作モードで動作するように制御する。
【００３５】
シンク機器１２０は、制御部１２３を有している。この制御部１２３は、シンク機器１２０の全体を制御する。この実施の形態において、シンク機器１２０のデータ受信部１２２は、現行ＨＤＭＩにのみ、あるいは現行ＨＤＭＩおよび新ＨＤＭＩの双方に対応している。データ受信部１２２が現行ＨＤＭＩおよび新ＨＤＭＩの双方に対応している場合、制御部１２３は、このデータ受信部１２２を、ソース機器１１０のデータ送信部１１２と同じ動作モードで動作するように制御する。この場合、制御部１２３は、例えば、ソース機器１１０からＣＥＣなどのラインを通じて送られる動作モードの判断結果に基づいて、データ受信部１２２の動作モードを制御する。ケーブル２００は、現行ＨＤＭＩ、あるいは新ＨＤＭＩに対応している。
【００３６】
図１に示すＡＶシステム１００において、図２（ａ）に示すように、ケーブル２００が新ＨＤＭＩに対応し、また、シンク機器１２０が現行ＨＤＭＩおよび新ＨＤＭＩの双方に対応しているとき、新ＨＤＭＩでのデータ伝送が行われる。この際、ソース機器１１０のデータ送信部１１２およびシンク機器１２０のデータ受信部１２２は、新ＨＤＭＩの動作モードで動作するように制御される。
【００３７】
また、図１に示すＡＶシステム１００において、図２（ｂ）〜（ｄ）に示すように、少なくとも、ケーブル２００が現行ＨＤＭＩに対応しているか、あるいはシンク機器１２０が現行ＨＤＭＩにのみ対応しているとき、現行ＨＤＭＩでのデータ伝送が行われる。この際、ソース機器１１０のデータ送信部１１２は、現行ＨＤＭＩの動作モードで動作するように制御される。また、現行ＨＤＭＩおよび新ＨＤＭＩの双方に対応しているシンク機器１２０のデータ受信部１２２は、現行ＨＤＭＩの動作モードで動作するように制御される。
【００３８】
なお、図２（ｂ）の場合には、データ転送レートを低くするなどしてケーブル２００が新ＨＤＭＩのデータ伝送が可能なときには、新ＨＤＭＩモードでのデータ伝送が行われることがある。
【００３９】
［データ送信部、データ受信部の構成例］
図３、図４は、図１のＡＶシステム１００における、ソース機器１１０のデータ送信部１１２と、シンク機器１２０のデータ受信部１２２の構成例を示している。データ送信部１１２は、有効画像区間（「アクティブビデオ区間」ともいう）において、非圧縮の１画面分のビデオデータに対応する差動信号を、複数のチャネルで、データ受信部１２２に一方向に送信する。
【００４０】
ここで、有効画像区間は、一の垂直同期信号から次の垂直同期信号までの区間から、水平帰線区間及び垂直帰線区間を除いた区間である。また、データ送信部１１２は、水平帰線区間または垂直帰線区間において、少なくともビデオデータに付随するオーディオデータや制御データ、その他の補助データ等に対応する差動信号を、複数のチャネルで、データ受信部１２２に一方向に送信する。
【００４１】
データ受信部１２２は、アクティブビデオ区間において、複数のチャネルで、データ送信部１２２から一方向に送信されてくる、ビデオデータに対応する差動信号を受信する。また、このデータ受信部１２２は、水平帰線区間または垂直帰線区間において、複数のチャネルで、データ送信部１１２から一方向に送信されてくる、オーディオデータや制御データに対応する差動信号を受信する。
【００４２】
データ送信部１１２とデータ受信部１２２とからなるＨＤＭＩシステムの伝送チャネルには、以下のものがある。まず、伝送チャネルとして、差動信号チャネルがある。ビデオデータ等のデジタル信号を伝送するための差動信号チャネルは、現行ＨＤＭＩにおいては３チャネルであるが、新ＨＤＭＩにおいては６チャネルである。
【００４３】
現行ＨＤＭＩの動作モードにおける差動信号チャネルについて説明する。図３に示すように、データ送信部１１２からデータ受信部１２２に対して、ビデオデータおよびオーディオデータを、ピクセルクロックに同期して、一方向にシリアル伝送するための伝送チャネルとしての、３つのＴＭＤＳチャネル＃０〜＃２がある。また、ＴＭＤＳクロックを伝送する伝送チャネルとしての、ＴＭＤＳクロックチャネルがある。これらの各チャネルは、ケーブル２００に対してＤＣ結合とされる。
【００４４】
データ送信部１１２のＨＤＭＩトランスミッタ８１は、例えば、非圧縮のビデオデータを、ＴＭＤＳコーディングを施した後に対応する差動信号に変換し、３つのＴＭＤＳチャネル＃０，＃１，＃２で、ケーブル２００を介して接続されているデータ受信部１２２に、一方向にシリアル伝送する。また、ＨＤＭＩトランスミッタ８１は、非圧縮のビデオデータに付随するオーディオデータ、必要な制御データその他の補助データ等を、ＴＭＤＳコーディングを施した後に対応する差動信号に変換し、３つのＴＭＤＳチャネル＃０，＃１，＃２で、データ受信部１２２に、一方向にシリアル伝送する。
【００４５】
さらに、ＨＤＭＩトランスミッタ８１は、３つのＴＭＤＳチャネル＃０，＃１，＃２で送信するビデオデータに同期したＴＭＤＳクロック（ピクセルクロック）を、ＴＭＤＳクロックチャネルで、ケーブル２００を介して接続されているデータ受信部１２２に送信する。ここで、１つのＴＭＤＳチャネル＃ｉ（ｉ＝０，１，２）では、ＴＭＤＳクロックの１クロックの間に、１０ビットのデータが送信される。
【００４６】
ここで、ＴＭＤＳコーディングは、８ビットのデータを１０ビットのデータに変換する８ビット/１０ビット変換コーディングであり、前データとの比較から遷移点を少なくすることによって不要輻射等の悪影響を抑えた上でＤＣバランスを維持するコーディングとなっている。そのため、理論上コーディングのランレングスの保証ができないため、ＤＣ結合およびクロックの別送が必須となる。
【００４７】
データ受信部１２２のＨＤＭＩレシーバ８２は、ＴＭＤＳチャネル＃０，＃１，＃２で、データ送信部１１２から一方向に送信されてくる、ビデオデータに対応する差動信号と、オーディオデータや制御データに対応する差動信号を受信する。この場合、データ送信部１１２からＴＭＤＳクロックチャネルで送信されてくるＴＭＤＳクロック（ピクセルクロック）に同期して受信する。
【００４８】
次に、新ＨＤＭＩの動作モードにおける差動信号チャネルについて説明する。図４に示すように、データ送信部１１２からデータ受信部１２２に対して、ビデオデータおよびオーディオデータを、ピクセルクロックに同期して、一方向にシリアル伝送するための伝送チャネルとしての、６つのＴＭＤＳチャネル＃０〜＃５がある。なお、この新ＨＤＭＩでは、ＴＭＤＳクロックの伝送は省略され、受信側においては受信データからクロックを再生するセルフクロック方式が採用される。
【００４９】
ここで、ＴＭＤＳチャネル＃０，＃１，＃２は、上述した現行ＨＤＭＩの動作モードにおけるＴＭＤＳチャネル＃０，＃１，＃２に対応する。また、ＴＭＤＳチャネル＃３は、上述した現行ＨＤＭＩの動作モードにおけるＴＭＤＳクロックチャネルに対応する。つまり、これらの４つのチャネルは、現行ＨＤＭＩの動作モードと新ＨＤＭＩの動作モードとで共通に使用される。これらの４つのチャネルは上述したようにケーブル２００に対してＤＣ結合とされるが、ＴＭＤＳチャネル＃４，＃５はケーブル２００に対してＡＣ結合とされ、高速動作に対する優位性が確保される。
【００５０】
データ送信部１１２のＨＤＭＩトランスミッタ８１は、例えば、非圧縮のビデオデータを対応する差動信号に変換し、６つのＴＭＤＳチャネル＃０〜＃５で、ケーブル２００を介して接続されているデータ受信部１２２に、一方向にシリアル伝送する。また、このＨＤＭＩトランスミッタ８１は、非圧縮のビデオデータに付随するオーディオデータ、必要な制御データその他の補助データ等を、対応する差動信号に変換し、６つのＴＭＤＳチャネル＃０〜＃５で、データ受信部１２２に、一方向にシリアル伝送する。
【００５１】
ここで、ＨＤＭＩトランスミッタ８１は、ＴＭＤＳチャネル＃０，＃１，＃２で伝送するデータに関してはＴＭＤＳコーディングを施すが、ＴＭＤＳチャネル＃３，＃４，＃５で伝送するデータに関してはクロック抽出が可能なコーディング、この実施の形態においては、ＡＮＳＩ  ８Ｂ１０Ｂコーディングを施す。ＡＮＳＩ  ８Ｂ１０Ｂコーディングは、ＴＭＤＳコーディングと同様に８ビット/１０ビット変換コーディングである。
【００５２】
このＡＮＳＩ  ８Ｂ１０Ｂコーディングは、一定パターンを適宜挿入することにより伝送データから各８ビットデータ境界を認識できるだけでなく、直接伝送クロックの抽出が可能となっている。また、ＡＮＳＩ  ８Ｂ１０Ｂコーディングは、ランレングス保証もされ、完全ＤＣフリーコーディングとなっており、ＡＣ結合の差動信号とすることが可能になっている。
【００５３】
データ受信部１２２のＨＤＭＩレシーバ８２は、ＴＭＤＳチャネル＃０〜＃５で、データ送信部１１２から一方向に送信されてくる、ビデオデータに対応する差動信号と、オーディオデータや制御データに対応する差動信号を受信する。この場合、ＨＤＭＩレシーバ８２は、ＴＭＤＳチャネル＃４，＃５のいずれか、この実施の形態ではＴＭＤＳチャネル＃５の受信データからクロックを抽出し、そのクロックに同期して各ＴＭＤＳチャネル＃０〜＃５のデータを受信する。
【００５４】
なお、ＨＤＭＩシステムの伝送チャネルには、上述のＴＭＤＳチャネル、ＴＭＤＳクロックチャネルの他に、ＤＤＣ（Display Data Channel）やＣＥＣラインと呼ばれる伝送チャネルがある。ＤＤＣは、ケーブル２００に含まれる図示しない２本の信号線からなる。ＤＤＣは、データ送信部１１２が、データ受信部１２２から、Ｅ−ＥＤＩＤ（Enhanced Extended Display Identification Data）を読み出すために使用される。
【００５５】
すなわち、データ受信部１２２は、ＨＤＭＩレシーバ８２の他に、自身の能力（Configuration/capability）に関する能力情報であるＥ−ＥＤＩＤを記憶している、ＥＤＩＤ  ＲＯＭ(ＥＥＰＲＯＭ)を有している。データ送信部１１２は、例えば、制御部１１３からの要求に応じて、ケーブル２００を介して接続されているデータ受信部１２２から、Ｅ−ＥＤＩＤを、ＤＤＣを介して読み出す。
【００５６】
データ送信部１１２は、読み出したＥ−ＥＤＩＤを制御部１１３に送る。制御部１１３は、このＥ−ＥＤＩＤを、図示しないフラッシュＲＯＭあるいはＤＲＡＭに格納する。制御部１１３は、Ｅ−ＥＤＩＤに基づき、データ受信部１２２の能力の設定を認識できる。例えば、制御部１１３は、データ受信部１２２を有するシンク機器１２０が、現行ＨＤＭＩの他に、新ＨＤＭＩに対応しているか否か等を認識する。ＣＥＣラインは、ケーブル２００に含まれる図示しない１本の信号線からなり、データ送信部１１２とデータ受信部１２２との間で、制御用のデータの双方向通信を行うために用いられる。
【００５７】
また、ケーブル２００には、ＨＰＤ(Hot Plug Detect)と呼ばれるピンに接続されるライン（ＨＰＤライン）が含まれている。ソース機器は、このＨＰＤラインを利用して、シンク機器の接続を検出することができる。なお、このＨＰＤラインは双方向通信路を構成するＨＥＡＣ−ラインとしても使用される。また、ケーブル２００には、ソース機器からシンク機器に電源を供給するために用いられる電源ライン（＋５Ｖ Power Line）が含まれている。さらに、ケーブル２００には、ユーティリティラインが含まれている。このユーティリティラインは双方向通信路を構成するＨＥＡＣ＋ラインとしても使用される。
【００５８】
図５は、ＨＤＭＩトランスミッタ８１の構成例を示している。ＨＤＭＩトランスミッタ８１は、６レーン（６チャネル）のマッパ１１と、ＴＭＤＳエンコーダ１２と、切換スイッチ１３，１４と、８Ｂ１０Ｂエンコーダ１５と、逓倍器１６と、切換スイッチ１７を有している。
【００５９】
マッパ１１は、入力される、ビデオデータ、パケット化されたオーディオデータや制御データ、垂直や水平の同期信号に対してマッピング処理を施し、データチャネル＃０，＃１，＃２，＃３，＃４，＃５のデータを出力する。また、マッパ１１は、入力されるピックセルクロックをＴＭＤＳクロックとして出力する。ＴＭＤＳエンコーダ１２は、マッパ１１から出力されるデータチャネル＃０，＃１，＃２のデータに、マッパ１１から出力されるＴＭＤＳクロックに同期してＴＭＤＳコーディングのエンコード処理を施し、ＴＭＤＳチャネル＃０，＃１，＃２の送信データを得る。
【００６０】
８Ｂ１０Ｂエンコーダ１５は、マッパ１１から出力されるデータチャネル＃３、＃４、＃５のデータに、ＡＮＳＩ  ８Ｂ１０Ｂコーディングのエンコード処理を施す。
【００６１】
また、切換スイッチ１３は、８Ｂ１０Ｂエンコーダ１５から出力されるデータチャンネル＃４のデータと接地とを切り換えて出力する。この切換スイッチ１３は切換制御信号ＳＷＣに基づいて切り換えが制御され、現行ＨＤＭＩの動作モードでは接地を出力し、新ＨＤＭＩの動作モードではデータチャネル＃４のデータを出力する。
【００６２】
また、切換スイッチ１４は、８Ｂ１０Ｂエンコーダ１５から出力されるデータチャネル＃５のデータと接地とを選択的に切り換えて出力する。この切換スイッチ１４は、切換制御信号ＳＷＣに基づいて切り換えが制御され、現行ＨＤＭＩの動作モードでは接地を出力し、新ＨＤＭＩの動作モードではデータチャネル＃５のデータを出力する。
【００６３】
逓倍器１６は、入力されるピクセルクロックを１０逓倍してビットクロックを生成し、８Ｂ１０Ｂエンコーダ１５に供給する。切換スイッチ１７は、８Ｂ１０Ｂエンコーダ１５から出力されるデータチャネル＃３のコーディング結果とＴＭＤＳクロックとを選択的に切り換えて、ＴＭＤＳチャネル＃３（ＴＭＤＳクロックチャネル）の送信データとする。この切換スイッチ１７は、切換制御信号ＳＷＣに基づいて切り換えが制御され、現行ＨＤＭＩの動作モードではＴＭＤＳクロックを出力し、新ＨＤＭＩの動作モードではデータチャネル＃３のコーディング結果を出力する。
【００６４】
図５に示すＨＤＭＩトランスミッタ８１の動作を説明する。最初に現行ＨＤＭＩの動作モードにおける動作を説明する。マッパ１１からは、データチャネル＃０，＃１，＃２のデータとＴＭＤＳクロックが得られる。データチャネル＃０，＃１，＃２のデータはＴＭＤＳエンコーダ１２に供給される。
【００６５】
ＴＭＤＳエンコーダ１２では、データチャネル＃０，＃１，＃２のデータに対してそれぞれＴＭＤＳクロックに同期してＴＭＤＳコーディングのエンコード処理が施され、ＴＭＤＳチャネル＃０，＃１，＃２の送信データが得られる。また、マッパ１１から出力されるＴＭＤＳクロックは、切換スイッチ１７を通じて、ＴＭＤＳクロックチャネル（ＴＭＤＳチャネル＃３）の送信データとなる。
【００６６】
次に、新ＨＤＭＩの動作モードにおける動作を説明する。マッパ１１からは、データチャネル＃０，＃１，＃２，＃３，＃４，＃５のデータとＴＭＤＳクロックが得られる。データチャネル＃０，＃１，＃２のデータはＴＭＤＳエンコーダ１２に供給される。ＴＭＤＳエンコーダ１２では、データチャネル＃０，＃１，＃２のデータに対してそれぞれＴＭＤＳクロックに同期してＴＭＤＳコーディングのエンコード処理が施され、ＴＭＤＳチャネル＃０，＃１，＃２の送信データが得られる。
【００６７】
また、データチャネル＃３、＃４，＃５のデータは８Ｂ１０Ｂエンコーダ１５に供給される。８Ｂ１０Ｂエンコーダ１５では、データチャネル＃３，＃４，＃５のデータに対してそれぞれビットクロックに同期してＡＮＳＩ  ８Ｂ１０Ｂコーディングのエンコード処理が施され、ＴＭＤＳチャネル＃３，＃４，＃５の送信データが得られる。
【００６８】
図６は、ＨＤＭＩレシーバ８２の構成例を示している。なお、この例は、シンク機器１２０のデータ受信部１２２が現行ＨＤＭＩおよび新ＨＤＭＩの双方に対応している場合の例である。ＨＤＭＩレシーバ８２は、ＴＭＤＳデコーダ２１と、切換スイッチ２２，２３，２４と、８Ｂ１０Ｂデコーダ２５と、クロック抽出器２６と、分周器２７と、切換スイッチ２８と、６レーン（６チャネル）のデマッパ２９を有している。
【００６９】
ＴＭＤＳデコーダ２１は、ＴＭＤＳチャネル＃０，＃１，＃２の受信データに対してＴＭＤＳコーディングのデコード処理を施し、データチャネル＃０，＃１，＃２のデータを得る。切換スイッチ２２は、ＴＭＤＳチャネル＃３（ＴＭＤＳクロックチャネル）の受信データを振り分けて出力する。この切換スイッチ２２は、切換制御信号ＳＷＣに基づいて切り換えが制御され、現行ＨＤＭＩの動作モードではＴＭＤＳクロック側に出力し、新ＨＤＭＩの動作モードではデータチャネル＃３側に出力する。
【００７０】
切換スイッチ２３は、ＴＭＤＳチャネル＃４の受信データを振り分けて出力する。この切換スイッチ２３は、切換制御信号ＳＷＣに基づいて切り換えが制御され、現行ＨＤＭＩの動作モードでは接地側に出力し、新ＨＤＭＩの動作モードではデータチャネル＃４側に出力する。また、切換スイッチ２４は、ＴＭＤＳチャネル＃５の受信データを振り分けて出力する。この切換スイッチ２４は、切換制御信号ＳＷＣに基づいて切り換えが制御され、現行ＨＤＭＩの動作モードでは接地側に出力し、新ＨＤＭＩの動作モードではデータチャネル＃５側に出力する。
【００７１】
８Ｂ１０Ｂデコーダ２５は、切換スイッチ２２，２３，２４からそれぞれデータチャネル＃３，＃４，＃５側に出力されたデータに対してＡＮＳＩ  ８Ｂ１０Ｂコーディングのデコード処理を施し、データチャネル＃３，＃４，＃５のデータを得る。
【００７２】
クロック抽出器２６は、切換スイッチ２４からデータチャネル＃５側に出力されたデータからビットクロックを抽出し、８Ｂ１０Ｂデコーダ２５に供給する。分周器２７は、クロック抽出器２６で抽出されたビットクロックを１/１０に分周してＴＭＤＳクロック（ピクセルクロック）を得る。
【００７３】
切換スイッチ２８は、切換スイッチ２２からＴＭＤＳクロック側に出力されたＴＭＤＳクロック（ピクセルクロック）と分周器２７で得られたＴＭＤＳクロックとを選択的に切り換えてＴＭＤＳデコーダ２１に供給する。この切換スイッチ２８は、切換制御信号ＳＷＣに基づいて切り換えが制御され、現行ＨＤＭＩの動作モードでは切換スイッチ２２から出力されたＴＭＤＳクロックを選択し、新ＨＤＭＩの動作モードでは分周器２７で得られたＴＭＤＳクロックを選択する。
【００７４】
デマッパ２９は、ＴＭＤＳデコーダ２１で得られたデータチャネル＃０，＃１，＃２のデータ、切換スイッチ２８で選択されたＴＭＤＳクロック（ピクセルクロック）、８Ｂ１０Ｂデコーダ２５で得られたデータチャネル＃３，＃４，＃５のデータに対してデマッピング処理を施し、ビデオデータ、パケット化されたオーディオデータや制御データ、垂直や水平の同期信号、さらにはピクセルクロックを得る。このデマッパ２９は、図５のＨＤＭＩトランスミッタ８１におけるマッパ１１とは逆の処理をする。
【００７５】
図６に示すＨＤＭＩレシーバ８２の動作を説明する。最初に現行ＨＤＭＩの動作モードにおける動作を説明する。この場合、ＴＭＤＳチャネル＃０，＃１，＃２でデータが受信されると共に、ＴＭＤＳチャネル＃３（ＴＭＤＳクロックチャネル）でＴＭＤＳクロックが受信される。ＴＭＤＳチャネル＃０，＃１，＃２の受信データはＴＭＤＳデコーダ２１に供給される。
【００７６】
ＴＭＤＳデコーダ２１では、ＴＭＤＳチャネル＃０，＃１，＃２の受信データに対してそれぞれＴＭＤＳクロックに同期してＴＭＤＳコーディングのデコード処理が施され、データチャネル＃０，＃１，＃２のデータが得られる。このデータチャネル＃０，＃１，＃２のデータは、デマッパ２９に供給される。
【００７７】
また、ＴＭＤＳチャネル＃３（ＴＭＤＳクロックチャネル）受信されたＴＭＤＳクロックは、切換スイッチ２２，２８を通じてデマッパ２９に供給される。デマッパ２９では、データチャネル＃０，＃１，＃２のデータとＴＭＤＳクロック（ピクセルクロック）に対してデマッピング処理が施され、ビデオデータ、パケット化されたオーディオデータや制御データ、垂直や水平の同期信号およびピクセルクロックが得られる。
【００７８】
次に、新ＨＤＭＩの動作モードにおける動作を説明する。この場合、ＴＭＤＳチャネル＃０，＃１，＃２，＃３，＃４，＃５でデータが受信される。ＴＭＤＳチャネル＃０，＃１，＃２の受信データはＴＭＤＳデコーダ２１に供給される。ＴＭＤＳデコーダ２１では、ＴＭＤＳチャネル＃０，＃１，＃２の受信データに対してそれぞれＴＭＤＳクロックに同期してＴＭＤＳコーディングのデコード処理が施され、データチャネル＃０，＃１，＃２のデータが得られる。このデータチャネル＃０，＃１，＃２のデータは、デマッパ２９に供給される。
【００７９】
また、ＴＭＤＳチャネル＃３，＃４，＃５の受信データは、それぞれ、切換スイッチ２２，２３，２４を通じて８Ｂ１０Ｂデコーダ２５に供給される。また、ＴＭＤＳチャネル＃５の受信データはクロック抽出器２６に供給され、ビットクロックの抽出が行われる。このビットクロックは、８Ｂ１０Ｂデコーダ２５と共に、分周器２７に供給される。
【００８０】
８Ｂ１０Ｂデコーダ２５では、ＴＭＤＳチャネル＃３，＃４，＃５の受信データに対してそれぞれビットクロックに同期してＡＮＳＩ  ８Ｂ１０Ｂコーディングのデコード処理が施され、データチャネル＃３，＃４，＃５のデータが得られる。このデータチャネル＃３，＃４，＃５のデータは、デマッパ２９に供給される。
【００８１】
また、分周器２７では、ビットクロックが１/１０に分周され、ＴＭＤＳクロック（ピクセルクロック）が生成される。このＴＭＤＳクロックは、切換スイッチ２８を通じてＴＭＤＳデコーダ２１に供給される。デマッパ２９では、データチャネル＃０，＃１，＃２，＃３，＃４，＃５のデータとＴＭＤＳクロック（ピクセルクロック）に対してデマッピング処理が施され、ビデオデータ、パケット化されたオーディオデータや制御データ、垂直や水平の同期信号およびピクセルクロックが得られる。
【００８２】
図７は、ＴＭＤＳ伝送データの構造例を示している。この図７は、ＴＭＤＳチャネル＃０〜＃２、あるいはＴＭＤＳチャネル＃０〜＃５において、横×縦がＢピクセル×Ａラインの画像データが伝送される場合の、各種の伝送データの区間を示している。ＨＤＭＩのＴＭＤＳチャネルで伝送データが伝送されるビデオフィールド（Video Field）には、伝送データの種類に応じて、３種類の区間が存在する。この３種類の区間は、ビデオデータ区間（Video Data period）、データアイランド区間（Data Island period）、およびコントロール区間（Control period）である。
【００８３】
ここで、ビデオフィールド区間は、ある垂直同期信号の立ち上がりエッジ（active edge）から次の垂直同期信号の立ち上がりエッジまでの区間である。このビデオフィールド区間は、水平ブランキング期間（horizontal blanking）、垂直ブランキング期間（vertical blanking）、並びに、アクティブビデオ区間（Active Video）に分けられる。このアクティブビデオ区間は、ビデオフィールド区間から、水平ブランキング期間および垂直ブランキング期間を除いた区間であるビデオデータ区間は、アクティブビデオ区間に割り当てられる。このビデオデータ区間では、非圧縮の１画面分の画像データを構成するＢピクセル（画素）×Ａライン分の有効画素（Active pixel）のデータが伝送される。
【００８４】
データアイランド区間およびコントロール区間は、水平ブランキング期間および垂直ブランキング期間に割り当てられる。このデータアイランド区間およびコントロール区間では、補助データ（Auxiliary data）が伝送される。すなわち、データアイランド区間は、水平ブランキング期間と垂直ブランキング期間の一部分に割り当てられている。このデータアイランド区間では、補助データのうち、制御に関係しないデータである、例えば、オーディオデータのパケット等が伝送される。コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００８５】
ここで、レセプタクル１１１のピンアサイメントを説明する。最初に、現行ＨＤＭＩのピンアサイメント（タイプＡ）を説明する。この現行ＨＤＭＩのピンアサイメントは、第１のピンアサイメントを構成する。図８（ａ）は、この現行ＨＤＭＩのピンアサイメントを示している。ＴＭＤＳチャネル＃ｉ（ｉ＝０〜２）の差動信号であるＴＭＤＳ  Ｄａｔａ＃ｉ＋とＴＭＤＳ  Ｄａｔａ＃ｉ−は、差動ラインである２本のラインにより伝送される。ピン（ピン番号が７，４，１のピン）はＴＭＤＳ  Ｄａｔａ＃ｉ＋に割り当てられ、ピン（ピン番号が９，６，３のピン）はＴＭＤＳ  Ｄａｔａ＃ｉ−に割り当てられている。なお、ピン番号が８，５，２のピンは、ＴＭＤＳ  Ｄａｔａ＃ｉ  Ｓｈｉｅｌｄ（ｉ＝０〜２）に割り当てられている。
【００８６】
ＴＭＤＳクロックチャネルの差動信号であるＴＭＤＳ  Ｃｌｏｃｋ＋とＴＭＤＳ  Ｃｌｏｃｋ−は差動ラインである２本のラインにより伝送される。ピン番号が１０のピンはＴＭＤＳ  Ｃｌｏｃｋ＋に割り当てられ、ピン番号が１２のピンはＴＭＤＳ  Ｃｌｏｃｋ−に割り当てられている。なお、ピン番号が１１のピンは、ＴＭＤＳ  Ｃｌｏｃｋ  Ｓｈｉｅｌｄに割り当てられている。
【００８７】
また、制御用のデータであるＣＥＣ信号は、ＣＥＣラインにより伝送される。ピン番号が１３であるピンは、ＣＥＣ信号に割り当てられている。また、Ｅ−ＥＤＩＤ読出し等に用いられるＳＤＡ(Serial Data)信号は、ＳＤＡラインにより伝送される。ピン番号が１６であるピンは、ＳＤＡ信号に割り当てられている。また、ＳＤＡ信号の送受信時の同期に用いられるクロック信号であるＳＣＬ(Serial Clock)信号は、ＳＣＬラインにより伝送される。ピン番号が１５であるピンは、ＳＣＬに割り当てられている。なお、上述のＤＤＣラインは、ＳＤＡラインおよびＳＣＬラインにより構成される。
【００８８】
また、ピン番号が１９であるピンは、ＨＰＤ／ＨＥＡＣ−に割り当てられている。また、ピン番号が１４であるピンは、ユーティリティ／ＨＥＡＣ＋に割り当てられている。また、ピン番号が１７であるピンは、ＤＤＣ／ＣＥＣ Ground／ＨＥＡＣ Ｓｈｉｅｌｄに割り当てられている。さらに、ピン番号が１８であるピンは、電源（＋５Ｖ Power）に割り当てられている。
【００８９】
次に、新ＨＤＭＩのピンアサイメントを説明する。この新ＨＤＭＩのピンアサイメントは、第２のピンアサイメントを構成する。図８（ｂ）は、この新ＨＤＭＩのピンアサイメントを示している。ＴＭＤＳチャネル＃ｉ（ｉ＝０〜５）の差動信号であるＴＭＤＳ  Ｄａｔａ＃ｉ＋とＴＭＤＳ  Ｄａｔａ＃ｉ−は、差動ラインである２本のラインにより伝送される。ピン（ピン番号が７，４，１，１０，８，２のピン）はＴＭＤＳ  Ｄａｔａ＃ｉ＋に割り当てられ、ピン（ピン番号が９，６，３，１２，１１，５のピン）はＴＭＤＳ  Ｄａｔａ＃ｉ−に割り当てられている。
【００９０】
また、制御用のデータであるＣＥＣ信号は、ＣＥＣラインにより伝送される。ピン番号が１３であるピンは、ＣＥＣ信号に割り当てられている。また、Ｅ−ＥＤＩＤ読出し等に用いられるＳＤＡ(Serial Data)信号は、ＳＤＡラインにより伝送される。ピン番号が１６であるピンは、ＳＤＡ信号に割り当てられている。また、ＳＤＡ信号の送受信時の同期に用いられるクロック信号であるＳＣＬ(Serial Clock)信号は、ＳＣＬラインにより伝送される。ピン番号が１５であるピンは、ＳＣＬに割り当てられている。なお、上述のＤＤＣラインは、ＳＤＡラインおよびＳＣＬラインにより構成される。
【００９１】
また、ピン番号が１９であるピンは、ＨＰＤ／ＨＥＡＣ−に割り当てられている。また、ピン番号が１４であるピンは、ユーティリティ／ＨＥＡＣ＋に割り当てられている。また、ピン番号が１７であるピンは、ＤＤＣ／ＣＥＣ Ground／ＨＥＡＣ Ｓｈｉｅｌｄに割り当てられている。さらに、ピン番号が１８であるピンは、電源（＋５Ｖ Power）に割り当てられている。
【００９２】
上述したように、新ＨＤＭＩピンアサイメント（図８（ｂ）参照）では、現行ＨＤＭＩピンアサイメント（図８(ａ)参照）でシールド端子として用いられている端子（ピン番号が２，５，８，１１のピン）が、データ端子として用いられている。また、新ＨＤＭＩピンアサイメントでは、現行ＨＤＭＩピンアサイメントでクロック信号の差動信号の信号端子として用いられている端子（ピン番号が１０，１２のピン）が、データ端子として用いられている。
【００９３】
ソース機器１１０のデータ送信部１１２は、現行ＨＤＭＩの動作モードで動作するとき、図８（ａ）に示す現行ＨＤＭＩピンアサイメントを選択し、新ＨＤＭＩの動作モードで動作するとき、図８（ｂ）に示す新ＨＤＭＩピンアサイメントを選択する。なお、上述ではソース機器１１０のレセプタクル１１１のピンアサイメントを説明した。詳細説明は省略するが、シンク機器１２０のデータ受信部１２２が現行ＨＤＭＩおよび新ＨＤＭＩの双方に対応している場合におけるシンク機器１２０のレセプタクル１２１のピンアサイメントに関しても同様である。
【００９４】
図９（ａ），（ｂ）は、ソース機器１１０のレセプタクル１１１のピン配置を示している。図９（ａ）は現行ＨＤＭＩのピン配置を示し、図９（ｂ）は新ＨＤＭＩのピン配置を示している。なお、レセプタクル１１１のピンアサイメントとして現行ＨＤＭＩピンアサイメントが選択されるとき、ピン番号が２，５，８，１１のピンは、ソース機器１１０およびシンク機器１２０にて、接地状態、あるいはシンク機器１２０にて接地状態、ソース機器１１０にてハイインピーダンス状態、あるいはシンク機器１２０にてハイインピーダンス状態、ソース機器１１０にて接地状態とされる。なお、詳細説明は省略するが、シンク機器１２０のデータ受信部１２２が現行ＨＤＭＩおよび新ＨＤＭＩの双方に対応している場合におけるシンク機器１２０のレセプタクル１２１のピン配置に関しても同様である。
【００９５】
図１０（ａ）は、ケーブル２００として使用される現行ＨＤＭＩケーブルの構造例を示している。この現行ＨＤＭＩケーブルは、３つのデータラインペアがそれぞれ特性を得るためにシールドツイストペア部として構成されている。また、クロックラインペアと、ＨＥＡＣ機能のためにユーティリティおよびＨＰＤのラインペアも、シールドツイストペア部として構成されている。
【００９６】
図１０（ｂ）は、シールドツイストペア部の構造例を示している。このシールドツイストペア部は、２本の電線３と、ドレイン線４とが、シールド部材５で覆われた構造となっている。なお、電線３は、芯線１が被覆部２により覆われて構成されている。
【００９７】
現行ＨＤＭＩケーブルでは、データおよびクロックの各シールドツイストペア部を構成するドレイン線は、このケーブルの端部に取りつけられたプラグのピンに接続されている。この場合、各ドレイン線は、上述したレセプタクル（現行ＨＤＭＩのピン配置）の各シールド端子（ピン番号が２，５，８，１１のシールド用ピン）に対応したピン（端子）に接続されている。これらのシールド端子はソース機器１１０およびシンク機器１２０において接地される。これにより、データおよびクロックの各シールドツイストペア部を構成するドレイン線は、プラグがレセプタクル（現行ＨＤＭＩのピン配置）に接続された状態では接地された状態となる。
【００９８】
図１１は、ケーブル２００として使用される新ＨＤＭＩケーブルの構造例を示している。この新ＨＤＭＩケーブルは、６つのデータラインペアがそれぞれ特性を得るためにシールドツイストペア部として構成されている。また、ＨＥＡＣ機能のためにユーティリティおよびＨＰＤのラインペアも、シールドツイストペア部として構成されている。
【００９９】
新ＨＤＭＩケーブルは、現行ＨＤＭＩケーブル（図１０（ａ）参照）に比べて、接続すべき個々の銅線の数が増えている。この新ＨＤＭＩケーブルでは、ケーブルの両端のプラグの専用ピンにて接続されていた各シールドツイストペア部を構成するドレイン線は、プラグの金属製のシェルに接続される。これにより、シールド用ピンが開放され、プラグの必要ピン数の増加が回避され、新ＨＤＭＩケーブルにおけるプラグは、現行ＨＤＭＩケーブルのプラグと同様のものとされている。このように、各シールドツイストペア部を構成するドレイン線がプラグの金属製のシェルに接続されるものにあっては、プラグが差し込まれるレセプタクルのシェルが接地レベルと接続されていることにより、差動ペアラインのシールドを確保することができる。
【０１００】
［現行ＨＤＭＩと新ＨＤＭＩの動作モード制御］
次に、ソース機器１１０の制御部１１３の動作モード制御についてさらに説明する。上述したように、制御部１１３は、ケーブル２００が新ＨＤＭＩに対応し、かつシンク機器１２０が新ＨＤＭＩに対応していると判断する場合、データ送信部１１２を新ＨＤＭＩの動作モードに制御する。また、制御部１１３は、それ以外の場合、データ送信部１１２を現行ＨＤＭＩの動作モードに制御する。
【０１０１】
図１２のフローチャートは、制御部１１３の動作モード制御の処理手順を示している。制御部１１３は、ステップＳＴ１において、処理を開始し、その後に、ステップＳＴ２の処理に移る。このステップＳＴ２において、制御部１１３は、ソース機器１１０、つまりデータ送信部１１２が新ＨＤＭＩに対応しているか否かを判断する。制御部１１３は、自身が存在するソース機器１１０（データ送信部１１２）の能力情報を予め備えていることから、この判断に関しては容易に行うことができる。なお、この実施の形態において、ソース機器１１０は新ＨＤＭＩに対応していることが明らかであるので、制御部１１３は、このステップＳＴ２の判断処理を省略してもよい。
【０１０２】
ソース機器１１０が新ＨＤＭＩに対応していると判断するとき、制御部１１３は、ステップＳＴ３において、シンク機器１２０、つまりデータ受信部１２２が新ＨＤＭＩに対応しているか否かを判断する。この判断の詳細については、後述する。シンク機器１２０が新ＨＤＭＩに対応していると判断するとき、制御部１１３は、ステップＳＴ４の処理に移る。このステップＳＴ４において、制御部１１３は、ケーブル２００が新ＨＤＭＩに対応しているか否かを判断する。この判断の詳細については、後述する。
【０１０３】
ケーブル２００が新ＨＤＭＩに対応していると判断するとき、制御部１１３は、ステップＳＴ５の処理に移る。このステップＳＴ５において、制御部１１３は、データ送信部１１２が新ＨＤＭＩの動作モードで動作するように制御する。また、ステップＳＴ２、ステップＳＴ３、ステップＳＴ４で、それぞれ、ソース機器１１０、シンク機器１２０、ケーブル２００が新ＨＤＭＩに対応していないと判断するとき、制御部１１３は、ステップＳＴ６の処理に移る。このステップＳＴ６において、制御部１１３は、データ送信部１１２が現行ＨＤＭＩの動作モードで動作するように制御する。
【０１０４】
なお、制御部１１３は、例えば、ステップＳＴ３でシンク機器１２０が新ＨＤＭＩに対応していると判断したとき、最終的な動作モードの判断結果を、ケーブル２００を介して、シンク機器１２０に送信する。この判断結果の送信は、例えば、ソース機器１１０からデータ伝送前にＣＥＣライン等のラインを通じて送られる。シンク機器１２０においては、このソース機器１１０からの動作モードの判断結果に基づき、制御部１２３により、データ受信部１２２がソース機器１１０のデータ送信部１１２と同じ動作モードで動作するように制御される。
【０１０５】
また、制御部１１３は、ステップＳＴ５でデータ送信部１１２が新ＨＤＭＩの動作モードで動作するように制御するとき、その旨を示すＵＩ画面を、例えば、図１３（ａ）に示すように、表示部（ディスプレイ）に表示するように制御してもよい。このＵＩ画面により、ユーザは、ソース機器１１０とシンク機器１２０とが新ＨＤＭＩで接続されたことを、容易に把握できる。なお、ＵＩ画面が表示される表示部（ディスプレイ）は、ソース機器１１０に設けられた図示しない表示部（ディスプレイ）、あるいは、シンク機器１２０に設けられた図示しない表示部（ディスプレイ）である。これは、以下の各ＵＩ表示に関しても同様である。
【０１０６】
また、制御部１１３は、ステップＳＴ４でケーブル２００が新ＨＤＭＩに対応していないと判断し、ステップＳＴ６の処理に移るとき、その旨を示すＵＩ画面を、例えば、図１３（ｃ）に示すように、表示部（ディスプレイ）に表示するように制御してもよい。このＵＩ画面により、ユーザは、ソース機器１１０とシンク機器１２０とが新ＨＤＭＩに対応しているが、ケーブル２００だけが新ＨＤＭＩに対応していないことを容易に認識でき、ケーブル２００を新ＨＤＭＩケーブルに取り替える等の対策を取ることができる。
【０１０７】
また、図１２のフローチャートの処理手順では、制御部１１３は、ステップＳＴ４でケーブル２００が新ＨＤＭＩに対応していると判断するとき、直ちに、ステップＳＴ５に進み、データ送信部１１２が新ＨＤＭＩの動作モードで動作するように制御している。しかし、制御部１１３は、データ伝送前にあらかじめＣＥＣなどのラインを通じてコマンドをやり取りすることにより、ステップＳＴ４でケーブル２００が新ＨＤＭＩに対応していると判断するとき、ユーザに、新ＨＤＭＩあるいは現行ＨＤＭＩ（従来ＨＤＭＩ）のいずれかを選択させるようにしてもよい。
【０１０８】
その場合、制御部１１３は、そのためのＵＩ画面を、例えば、図１３（ｂ）に示すように、表示部（ディスプレイ）に表示するように制御する。ユーザは、このＵＩ画面に基づいて、新ＨＤＭＩあるいは現行ＨＤＭＩのいずれかを選択する。図１３（ｂ）は、「新ＨＤＭＩ」が選択されている状態を示している。制御部１１３は、ユーザの選択に応じて、データ送信部１１２が新ＨＤＭＩあるいは現行ＨＤＭＩの動作モードで動作するように制御する。
【０１０９】
図１４のフローチャートは、その場合における制御部１１３の動作モード制御の処理手順を示している。この図１４において、図１２と対応する部分には同一符号を付し、その詳細説明は省略する。制御部１１３は、ステップＳＴ４でケーブル２００が新ＨＤＭＩに対応していると判断するとき、ステップＳＴ７の処理に進む。このステップＳＴ７において、制御部１１３は、新ＨＤＭＩあるいは現行ＨＤＭＩのいずれかを選択するためのＵＩ画面を表示部（ディスプレイ）に表示するように制御する。このＵＩの表示はソース機器１１０が伝送路２００を通じてビデオ信号として伝送してもよいし、シンク機器１２０が自身で表示するよう指示してもよい。
【０１１０】
その後、制御部１１３は、ステップＳＴ８の処理に移る。このステップＳＴ８において、ユーザのリモコンなどによる操作を制御部１２３はＣＥＣなどのラインを通じて通知することにより、制御部１１３は、ユーザが新ＨＤＭＩあるいは現行ＨＤＭＩのいずれを選択したかを判断する。ユーザが新ＨＤＭＩを選択したとき、制御部１１３は、ステップＳＴ５において、データ送信部１１２が新ＨＤＭＩの動作モードで動作するように制御する。一方、ユーザが現行ＨＤＭＩを選択したとき、制御部１１３は、ステップＳＴ６において、データ送信部１１２が現行ＨＤＭＩ（従来ＨＤＭＩ）の動作モードで動作するように制御する。
【０１１１】
「シンク機器の新ＨＤＭＩへの対応判断」
制御部１１３における、シンク機器１２０が新ＨＤＭＩに対応しているか否かの判断の方法について説明する。この判断方法としては、例えば、以下の第１の判断方法および第２の判断方法がある。
【０１１２】
「第１の判断方法」
制御部１１３は、シンク機器１２０からケーブル２００のＤＤＣライン（ＳＤＡラインおよびＳＣＬライン）を用いて読み出したＥＤＩＤに基づいて、シンク機器１２０が新ＨＤＭＩに対応しているか否かの判断を行う。ＥＤＩＤ自体は、フォーマット上で規定されたデータ構造になっている。このＥＤＩＤの所定の場所に、新たに、シンク機器１２０が新ＨＤＭＩ（新しい伝送）に対応しているか否かを示すフラグ情報が新たに定義されるとする。
【０１１３】
図１５は、ＥＤＩＤ上に新たに定義されるフラグ情報の例を示している。本来、ＥＤＩＤは様々なシンク機器１２０の能力を示すデータ構造体である。図１５は、説明の簡単化のために、ＥＤＩＤの、この発明に関係するバイトのみを示し、最低限に簡素化している。第２ビットに、シンク機器１２０が新ＨＤＭＩに対応しているか否かを示す１ビットのフラグ情報“New Rx Sink”が記載されている。また、第１ビットに、ケーブル２００が新ＨＤＭＩに対応しているか否かを示す１ビットのフラグ情報“New Cable”が新たに定義される。
【０１１４】
制御部１１３は、シンク機器１２０から読み出したＥＤＩＤに、上述の１ビットのフラグ情報“New Rx Sink”が存在するとき、シンク機器１２０が新ＨＤＭＩに対応していると判断する。すなわち、シンク機器１２０が現行ＨＤＭＩにのみ対応している場合、シンク機器１２０から読み出したＥＤＩＤに、上述の１ビットのフラグ情報“New Rx Sink”は存在しない。
【０１１５】
「第２の判断方法」
制御部１１３は、シンク機器１２０との間で、ケーブル２００を通じて通信を行うことで、シンク機器１２０が新ＨＤＭＩに対応しているか否かの判断を行う。例えば、制御部１１３は、ＣＥＣラインを用いて、コマンドベースで、シンク機器１２０が新ＨＤＭＩに対応しているか否かを確認する。
【０１１６】
また、例えば、制御部１１３は、ユーティリティラインおよびＨＰＤラインで構成される双方向通信路（ＨＥＡＣ機能）を用いてシンク機器１２０との間で通信を行って、シンク機器１２０が新ＨＤＭＩに対応しているか否かを確認する。さらに、例えば、制御部１１３は、伝送が有効になるまでは未使用のライン、例えばユーティリティラインなどを用いて、なんらかの信号のやり取りを行って、シンク機器１２０が新ＨＤＭＩに対応しているか否かを確認する。
【０１１７】
「ケーブルの新ＨＤＭＩへの対応判断」
次に、制御部１１３における、ケーブル２００が新ＨＤＭＩに対応しているか否かの判断の方法について説明する。この判断方法としては、特開２０１２−２５０６７３号公報に記載されているように、種々の方法が考えられる。以下に一例を示す。
【０１１８】
この例の場合、図１６に示すように、新ＨＤＭＩケーブルには、例えばプラグに、ＬＳＩ（Large Scale Integration）が内蔵される。例えば、ソース機器１１０から＋５Ｖが供給されている状態で、シンク機器１２０は、ＨＰＤをＬに落としている間にＣＥＣプロトコルにより、このＬＳＩに、出力を要求する。なお、この場合のシンク機器１２０は、新ＨＤＭＩに対応しているシンク機器である。ＬＳＩは、シンク機器１２０からの出力要求に応じて、このＬＳＩ内に実装されるレジスタ値（新ＨＤＭＩ対応である旨、および伝送可能なデータ帯域などのケーブル特性データ）を、シンク機器１２０に、ＣＥＣプロトコルで報告する。
【０１１９】
シンク機器１２０は、ＬＳＩから報告された情報を自身のＥＤＩＤに追記する。シンク機器１２０は、この追記の後に、ＨＰＤをＨにすることで、ソース機器１１０にＥＤＩＤの読み出しを指示する。制御部１１３は、シンク機器１２０から読み出したＥＤＩＤに基づいて、ケーブル２００が新ＨＤＭＩに対応しているか否かの判断を行う。すなわち、制御部１１３は、ケーブル２００が新ＨＤＭＩ対応である旨などの情報が含まれているとき、ケーブル２００が新ＨＤＭＩに対応していると判断する。
【０１２０】
なお、上述では、シンク機器１２０がＣＥＣプロトコルによりＬＳＩに出力を要求するように説明した。しかし、ソース機器１１０自体が、ＣＥＣプロトコルによりＬＳＩに出力を要求し、ＬＳＩからレジスタ値（新ＨＤＭＩ対応である旨、および伝送可能なデータ帯域などのケーブル特性データ）の報告を直接受けるようにすることも考えられる。
【０１２１】
上述したように、図１に示すＡＶシステム１０においては、ソース機器１１０のデータ送信部１１２は現行ＨＤＭＩの動作モードの他に、新ＨＤＭＩモードの動作モードを有するものとされている。ここで、ビデオデータ等のデジタル信号を伝送するための差動信号チャネルは、現行ＨＤＭＩにおいては３チャネルであるが、新ＨＤＭＩにおいては６チャネルである。そのため、新ＨＤＭＩが用いられることで、高いデータレートでの信号伝送が可能となる。また、シンク機器１２０、ケーブル２００が新ＨＤＭＩに対応していないとき、現行ＨＤＭＩ（従来ＨＤＭＩ）が用いられることで、後方互換性が確保される。
【０１２２】
また、図１に示すＡＶシステム１０においては、新ＨＤＭＩモードにおいても、ＴＭＤＳチャネル＃０，＃１，＃２のコーディングとしてＴＭＤＳコーディングが採用される。そのため、ソース機器１１０は、ＴＭＤＳチャネル＃０，＃１，＃２としてＴＭＤＳコーディングのみを実装すればよくなり、設計負荷の低減が期待でき、さらに、より不要輻射を減らしたコーディングを採用することが可能となる。
【０１２３】
＜２．変形例＞
なお、上述実施の形態においては、現行ＨＤＭＩにおけるビデオデータ等のデジタル信号を伝送するための差動信号チャネルが３チャネルであるのに対して、新ＨＤＭＩとしてその差動信号チャネルが６チャネルであるものを示した。しかし、ビデオデータ等のデジタル信号を伝送するための差動信号チャネルの数は６チャネルに限定されるものではなく、４チャネル、５チャネル、さらには７チャネル等も考えられる。例えば、ビデオデータ等のデジタル信号を伝送するための差動信号チャネルを５チャネルとし、クロック周波数を１．２倍程度に高速化することで、６チャネルにした場合と同等のデータ転送速度を得ることが可能となる。
【０１２４】
また、上述実施の形態において、本技術をソース機器およびシンク機器がＨＤＭＩ規格のデジタルインタフェースで接続されるＡＶシステムに適用したものである。本技術は、その他の同様のデジタルインタフェースで接続されるＡＶシステムにも同様に適用できる。
【０１２５】
また、技術は、以下のような構成もとることができる。
（１）外部機器に、複数のチャネルで、差動信号により、伝送路を介して、コーディングが施されたデジタル信号を送信するデジタル信号送信部を備え、
上記デジタル信号送信部は、
上記複数のチャネルの一部のチャネルでクロック抽出が不可能な第１のコーディングが施されたデジタル信号を送信し、上記複数のチャネルの他部のチャネルでクロック抽出が可能な第２のコーディングが施されたデジタル信号を送信する
送信装置。
（２）上記第１のコーディングは、ＴＭＤＳコーディングである
前記（１）に記載の送信装置。
（３）上記第１のコーディングおよび上記第２のコーディングのいずれも８ビット/１０ビット変換コーディングである
前記（１）または（２）に記載の送信装置。
（４）上記伝送路はＨＤＭＩケーブルであり、
上記一部のチャネルのチャネル数は３であり、上記他部のチャネルのチャネル数は３である
前記（１）から（３）のいずれかに記載の送信装置。
（５）デジタル信号送信部により、外部機器に、複数のチャネルで、差動信号により、伝送路を介して、コーディングが施されたデジタル信号を送信するデジタル信号送信ステップを有し、
上記デジタル信号送信ステップでは、
上記複数のチャネルの一部のチャネルでクロック抽出が不可能な第１のコーディングが施されたデジタル信号を送信し、上記複数のチャネルの他部のチャネルでクロック抽出が可能な第２のコーディングが施されたデジタル信号を送信する
送信方法。
（６）外部機器から、複数のチャネルで、差動信号により、伝送路を介して、コーディングが施されたデジタル信号を受信するデジタル信号受信部を備え、
上記デジタル信号受信部は、
上記複数のチャネルの一部のチャネルでクロック抽出が不可能な第１のコーディングが施されたデジタル信号を受信し、上記複数のチャネルの他部のチャネルでクロック抽出が可能な第２のコーディングが施されたデジタル信号を受信し、
上記複数のチャネルで受信されたデジタル信号を、上記他部のチャネルのうちいずれかのチャネルで受信されたデジタル信号から抽出されたクロックに基づいて処理する処理部をさらに備える
受信装置。
（７）デジタル信号受信部により、外部機器から、複数のチャネルで、差動信号により、伝送路を介して、コーディングが施されたデジタル信号を受信するデジタル信号受信ステップを有し、
上記デジタル信号受信ステップでは、
上記複数のチャネルの一部のチャネルでクロック抽出が不可能な第１のコーディングが施されたデジタル信号を受信し、上記複数のチャネルの他部のチャネルでクロック抽出が可能な第２のコーディングが施されたデジタル信号を受信し、
上記複数のチャネルで受信されたデジタル信号を、上記他部のチャネルのうちいずれかのチャネルで受信されたデジタル信号から抽出されたクロックに基づいて処理する処理ステップをさらに有する
受信方法。
（８）外部機器に、複数のチャネルで、差動信号により、伝送路を介して、コーディングが施されたデジタル信号を送信するデジタル信号送信部を備え、
上記デジタル信号送信部は、第１のモードおよび第２のモードのうちいずれかのモードを選択して上記デジタル信号を送信し、
上記第１のモードは、所定数の第１のチャネルでクロック抽出が不可能な第１のコーディングが施されたデジタル信号を送信すると共に、所定数の第２のチャネルでクロック抽出が可能な第２のコーディングが施されたデジタル信号を送信するモードであり、
上記第２のモードは、上記所定数の第１のチャネルで上記第１のコーディングが施されたデジタル信号を送信すると共に、上記所定数の第２のチャネルのうちいずれかのチャネルに対応した１つの第３のチャネルでクロックを送信するモードである
送信装置。
（９）上記外部機器および上記伝送路が上記第１のモードに対応しているか否かを判断するモード判断部と、
上記モード判断部の判断に基づいて、上記デジタル信号送信部におけるモード選択を制御する制御部をさらに備える
前記（８）に記載の送信装置。
（１０）上記所定数の第２のチャネルのうち、上記第３のチャネルに対応した１つのチャネルを除く各チャネルは、上記伝送路に対してＡＣ結合とされる
前記（８）または（９）に記載の送信装置。
（１１）上記第１のコーディングは、ＴＭＤＳコーディングである
前記（８）から（１０）のいずれかに記載の送信装置。
（１２）上記第１のコーディングおよび上記第２のコーディングは、いずれも８ビット/１０ビット変換コーディングである
前記（８）から（１１）のいずれかに記載の送信装置。
（１３）上記伝送路はＨＤＭＩケーブルであり、
上記第１のチャネルのチャネル数は３であり、上記第２のチャネルのチャネル数は３である
前記（８）から（１２）のいずれかに記載の送信装置。
（１４）デジタル信号送信部により、外部機器に、複数のチャネルで、差動信号により、伝送路を介して、コーディングが施されたデジタル信号を送信するデジタル信号送信ステップを有し、
上記デジタル信号送信ステップでは、第１のモードおよび第２のモードのうちいずれかのモードを選択して上記デジタル信号を送信し、
上記第１のモードは、所定数の第１のチャネルでクロック抽出が不可能な第１のコーディングが施されたデジタル信号を送信すると共に、所定数の第２のチャネルでクロック抽出が可能な第２のコーディングが施されたデジタル信号を送信するモードであり、
上記第２のモードは、上記所定数の第１のチャネルで上記第１のコーディングが施されたデジタル信号を送信すると共に、上記所定数の第２のチャネルのうちいずれかのチャネルに対応した１つの第３のチャネルでクロックを送信するモードである
送信方法。
（１５）外部機器から、複数のチャネルで、差動信号により、伝送路を介して、コーディングが施されたデジタル信号を受信するデジタル信号受信部を備え、
上記デジタル信号受信部は、第１のモードおよび第２のモードのうちいずれかのモードを選択して上記デジタル信号を受信し、
上記第１のモードは、所定数の第１のチャネルでクロック抽出が不可能な第１のコーディングが施されたデジタル信号を受信すると共に、所定数の第２のチャネルでクロック抽出が可能な第２のコーディングが施されたデジタル信号を受信するモードであり、
上記第２のモードは、上記所定数の第１のチャネルで上記第１のコーディングが施されたデジタル信号を受信すると共に、上記所定数の第２のチャネルのうちいずれかのチャネルに対応した１つの第３のチャネルでクロックを受信するモードであり、
上記第１のモードでは、上記所定数の第１のチャネルおよび上記所定数の第２のチャネルで受信されたデジタル信号を、上記所定数の第２のチャネルのうちいずれかのチャネルで受信されたデジタル信号から抽出されたクロックに基づいて処理し、上記第２のモードでは、上記所定数の第１のチャネルで受信されたデジタル信号を、上記第３のチャネルで受信されたクロックに基づいて処理する処理部をさらに備える
受信装置。
（１６）上記所定数の第２のチャネルのうち、上記第３のチャネルに対応した１つのチャネルを除く各チャネルは、上記伝送路に対してＡＣ結合とされる
前記（１５）に記載の受信装置。
（１７）上記第１のコーディングおよび上記第２のコーディングは、いずれも８ビット/１０ビット変換コーディングである
前記（１５）または（１６）に記載の受信装置。
（１８）上記伝送路はＨＤＭＩケーブルであり、
上記第１のチャネルのチャネル数は３であり、上記第２のチャネルのチャネル数は３である
前記（１５）から（１７）のいずれかに記載の受信装置。
（１９）上記外部機器から送られてくる制御情報に基づいて、上記デジタル信号送信部におけるモード選択を制御する制御部をさらに備える
前記（１５）から（１８）のいずれかに記載の受信装置。
（２０）デジタル信号受信部により、外部機器から、複数のチャネルで、差動信号により、伝送路を介して、コーディングが施されたデジタル信号を受信するデジタル信号受信ステップを有し、
上記デジタル信号受信ステップでは、第１のモードおよび第２のモードのうちいずれかのモードを選択して上記デジタル信号を受信し、
上記第１のモードは、所定数の第１のチャネルでクロック抽出が不可能な第１のコーディングが施されたデジタル信号を受信すると共に、所定数の第２のチャネルでクロック抽出が可能な第２のコーディングが施されたデジタル信号を受信するモードであり、
上記第２のモードは、上記所定数の第１のチャネルで上記第１のコーディングが施されたデジタル信号を受信すると共に、上記所定数の第２のチャネルのうちいずれかのチャネルに対応した１つの第３のチャネルでクロックを受信するモードであり、
上記第１のモードでは、上記所定数の第１のチャネルおよび上記所定数の第２のチャネルで受信されたデジタル信号を、上記所定数の第２のチャネルのうちいずれかのチャネルで受信されたデジタル信号から抽出されたクロックに基づいて処理し、上記第２のモードでは、上記所定数の第１のチャネルで受信されたデジタル信号を、上記第３のチャネルで受信されたクロックに基づいて処理する処理ステップをさらに有する
受信方法。
【符号の説明】
【０１２６】
１１・・・マッパ
１２・・・ＴＭＤＳエンコーダ
１３，１４，１７・・・切換スイッチ
１５・・・８Ｂ１０Ｂエンコーダ
１６・・・逓倍器
２１・・・ＴＭＤＳデコーダ
２２，２３，２４，２８・・・切換スイッチ
２５・・・８Ｂ１０Ｂデコーダ
２６・・・クロック抽出器
２７・・・分周器
２９・・・デマッパ
８１・・・ＨＤＭＩトランスミッタ
８２・・・ＨＤＭＩレシーバ
１００・・・ＡＶシステム
１１０・・・ソース機器
１１１・・・レセプタクル
１１２・・・データ送信部
１１３・・・制御部
１２０・・・シンク機器
１２１・・・レセプタクル
１２２・・・データ受信部
１２３・・・制御部
２００・・・ケーブル
２０１，２０２・・・プラグ
【図１】
2020074555.tif 000003
【図２】
2020074555.tif 000004
【図３】
2020074555.tif 000005
【図４】
2020074555.tif 000006
【図５】
2020074555.tif 000007
【図６】
2020074555.tif 000008
【図７】
2020074555.tif 000009
【図８】
2020074555.tif 000010
【図９】
2020074555.tif 000011
【図１０】
2020074555.tif 000012
【図１１】
2020074555.tif 000013
【図１２】
2020074555.tif 000014
【図１３】
2020074555.tif 000015
【図１４】
2020074555.tif 000016
【図１５】
2020074555.tif 000017
【図１６】
2020074555.tif 000018
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
外部機器に、複数のチャネルで、差動信号により、伝送路を介して、コーディングが施されたデジタル信号を送信するデジタル信号送信部を備え、
上記デジタル信号送信部は、上記複数のチャネルの一部のチャネルでクロック抽出が不可能な第１のコーディングが施されたデジタル信号を送信する第１のモードと、上記複数のチャネルの一部のチャネルでクロック抽出が可能な第２のコーディングが施されたデジタル信号を送信する第２のモードを切り替えてデジタル信号を送信し、
上記第２のモードにおいて、上記一部のチャネルは少なくとも２つのチャネルを含む
送信装置。
【請求項２】
上記第１のモードにおいて、上記複数のチャネルはクロックチャネルを含み、
上記第２のモードにおいて、上記一部のチャネルは少なくとも上記クロックチャネルに対応しないチャネルを含む
請求項１に記載の送信装置。
【請求項３】
上記第２のモードにおいて、上記複数のチャネルのチャネル数は、５以上である
請求項１に記載の送信装置。
【請求項４】
上記第２のモードにおいて、上記デジタル信号送信部は、上記外部機器に、４K２K（QFHD）を超える解像度のビデオ信号を送信する
請求項１に記載の送信装置。
【請求項５】
デジタル信号送信部により、外部機器に、複数のチャネルで、差動信号により、伝送路を介して、コーディングが施されたデジタル信号を送信するデジタル信号送信ステップを有し、
上記デジタル信号送信ステップでは、上記複数のチャネルの一部のチャネルでクロック抽出が不可能な第１のコーディングが施されたデジタル信号を送信する第１のモードと、上記複数のチャネルの一部のチャネルでクロック抽出が可能な第２のコーディングが施されたデジタル信号を送信する第２のモードを切り替えてデジタル信号を送信し、
上記第２のモードにおいて、上記一部のチャネルは少なくとも２つのチャネルを含む
送信方法。
【請求項６】
上記第１のモードにおいて、上記複数のチャネルはクロックチャネルを含み、
上記第２のモードにおいて、上記一部のチャネルは少なくとも上記クロックチャネルに対応しないチャネルを含む
請求項５に記載の送信方法。
【請求項７】
上記第２のモードにおいて、上記複数のチャネルのチャネル数は、５以上である
請求項５に記載の送信方法。
【請求項８】
上記第２のモードにおいて、上記デジタル信号送信部は、上記外部機器に、４K２K（QFHD）を超える解像度のビデオ信号を送信する
請求項５に記載の送信方法。

【手続補正３】
【補正対象書類名】明細書
【補正対象項目名】０００１
【補正方法】変更
【補正の内容】
【０００１】
本技術は、送信装置および送信方法に関する。